(57)【要約】【課題】スタンド（１）を有する自動化顕微鏡（１０）を提供する。【解決手段】複数のボタン（４１、４２、４３、４４、４５、４６、４７）を有するフロント制御パネル（４０）が、スタンド（１）に設けられる。さらなるボタン（２５、２６）が、スタンド（１）の側面の少なくとも一方に設けられ、該ボタンを使用することにより顕微鏡（１０）の対物レンズが動作位置に導入される。【選択図】図４
2006268041.tif 000002
【特許請求の範囲】
【請求項１】
スタンド（１）を有する自動化顕微鏡（１０）であって、
複数のボタン（４１、４２、４３、４４、４５、４６、４７）を有するフロント制御パネル（４０）がスタンド（１）に設けられ、少なくとも２つのさらなるボタン（２５、２６、２９ａ、２９ｂ）が顕微鏡（１０）に割り当てられた自動化顕微鏡（１０）。
【請求項２】
指示計（５１、５２、５３、５４、５５、５６）がボタン（４１、４２、４３、４４、４５、４６）のそれぞれに割り当てられ、
指示計が、それぞれのボタン（４１、４２、４３、４４、４５、４６）がどの対物レンズ倍率に関連するかを示す請求項１に記載の自動化顕微鏡（１０）。
【請求項３】
ボタン（２５、２６）がスタンド（１）の左側面および／または右側面に設けられる請求項１に記載の自動化顕微鏡（１０）。
【請求項４】
標準モードにおいて、対物レンズ倍率がスタンド（１）のボタン（２５、２６）によって連続的にモーターで始動する請求項３に記載の自動化顕微鏡（１０）。
【請求項５】
ボタン（２５、２６）が、左足踏みスイッチ（２９ａ）および右足踏みスイッチ（２９ｂ）として実現される請求項４に記載の自動化顕微鏡（１０）。
【請求項６】
ボタン（２５、２６）に加えて、左足踏みスイッチ（２９ａ）および右足踏みスイッチ（２９ｂ）が複式足踏みスイッチに設けられ、左足踏みスイッチ（２９ａ）および右足踏みスイッチ（２９ｂ）が、ボタン（２５、２６）の機能を実現する請求項１に記載の自動化顕微鏡（１０）。
【請求項７】
上ボタン（２５）を押すことまたは右足踏みスイッチ（２９ｂ）を作動することが同一の機能を有し、下ボタン（２６）を押すことまたは左足踏みスイッチ（２９ａ）を作動することが同一の機能を有する請求項６に記載の自動化顕微鏡（１０）。
【請求項８】
フロント制御パネル（４０）のモードを切り替えるトグルモードが、ボタン（４７）を短時間押すことによって作動し、標準モードがボタン（４７）の再度の作動によって作動し、トグルモード用にプログラムされた対物レンズが保持される請求項１〜７のいずれか一項に記載の自動化顕微鏡（１０）。
【請求項９】
ボタン（４１、４２、４３、４４、４５、４６、４７）が少なくとも１つの発光手段を備え、ボタンが押されると発光手段が点灯する請求項１〜８のいずれか一項に記載の自動化顕微鏡（１０）。
【請求項１０】
スタンド（１）がＵＳＢインターフェイス（２０）を有し、スタンド（１）のボタン（２５、２６、４１、４２、４３、４４、４５、４６、４７）が、ＰＣ（２３）から所望の態様で割り当て可能である請求項１〜９のいずれか一項に記載の自動化顕微鏡（１０）。
【発明の詳細な説明】
【技術分野】
【０００１】
本発明は、自動化顕微鏡に関する。本発明は特に、スタンドを有する自動化顕微鏡に関する。
【背景技術】
【０００２】
特許文献１は、顕微鏡システムを制御するための装置および方法を開示している。顕微鏡は、一体型中央ディスプレイを有するスタンドを備える。ディスプレイは、顕微鏡を動作するためのメニューを備える。焦点調節のための作動つまみの周囲に、少なくとも１つの顕微鏡機能を制御する複数のボタンが配置される。
【０００３】
特許文献２は、複数の電子的に制御可能な顕微鏡構成要素を備える動力式顕微鏡（モーター駆動顕微鏡）を開示している。次に、ボタンの作動により、対応する顕微鏡構成要素をビーム経路に切り替える。
【０００４】
特許文献３は、複数の制御素子を有する顕微鏡を開示している。顕微鏡は、複数の電子的に制御可能な構成要素を備える。構成要素の数は顕微鏡における制御素子（ボタン）の数を上回るため、対応する顕微鏡機能をボタンに割り当てることができる。
【０００５】
特許文献４は、自動化顕微鏡システムを開示している。顕微鏡の隣に、エネルギが顕微鏡に供給される制御および監視用のデバイスを中に備えたボックスが備えられる。
【０００６】
特許文献５は、顕微鏡の対物レンズを交換するための装置を開示している。対物レンズはモーター駆動タレットに設けられるため、対物レンズの交換が自動的かつモーターにより行われる。
【０００７】
特許文献６は、小型ビデオ顕微鏡を開示している。通信および顕微鏡の制御のために、顕微鏡は、マイクロホン、拡声器およびビデオカメラを装備する。
【０００８】
特許文献７は、スタンドおよびスタンドに設けられた焦点調節つまみを有し、複数のボタンが焦点調節つまみの周囲の領域に設けられる顕微鏡を開示している。ボタンは、顕微鏡に設けられた回路にコマンドを入力するために機能する。本発明によるボタンの配分および機能性は、この文献には開示されていない。
【０００９】
【特許文献１】米国特許出願公開第２００４／０１９０１２９号明細書
【特許文献２】米国特許出願公開第２００３／０１６１０３６号明細書
【特許文献３】米国特許出願公開第２００３／００９０７８９号明細書
【特許文献４】米国特許第６，１７１，７２５号明細書
【特許文献５】米国特許第６，５２５，８７６号明細書
【特許文献６】米国特許第６，４５２，６２５号明細書
【特許文献７】米国特許第５，０００，５５５号明細書
【発明の開示】
【発明が解決しようとする課題】
【００１０】
本発明の目的は、ユーザが顕微鏡の動作位置に対物レンズを位置決めしやすくする自動化顕微鏡を製作することにある。
【課題を解決するための手段】
【００１１】
上述の目的は、請求項１の特徴を有する自動化顕微鏡によって達成される。
【００１２】
本発明は、スタンドを有する自動化顕微鏡が提供されるという利点を有する。スタンドには、複数のボタンを有するフロント制御パネルが設けられる。さらに、少なくとも２つのさらなるボタンが、顕微鏡に関連付けられている。
【００１３】
指示計（インジケーター）が、ボタンのそれぞれに割り当てられ、該指示計は、それぞれのボタンに関連付けられている対物レンズ倍率を示す。指示計は、接着プレートであってもよい。同様に、指示計は、電子ディスプレイであってもよい。
【００１４】
さらなるボタンが、スタンドの左側面または右側面に設けられてもよい。同様に、さらなるボタンが、スタンドの左側面または右側面に設けられることが考えられる。ボタンはまた、複式足踏みスイッチの左足踏みスイッチおよび右足踏みスイッチとして実装されてもよい。足踏みスイッチおよび顕微鏡スタンドのボタンはまた、顕微鏡と共有の態様で関連付けられてもよい。
【００１５】
標準モードでは、対物レンズ倍率は、足踏みスイッチまたはスタンドの側面のボタンによって連続的に始動する。上ボタンを押すこと、または右足踏みスイッチを作動することは、同一の機能を有する。スタンドの下ボタンを押すこと、または右足踏みスイッチを作動することは、同一の機能を有する。同一の機能は、対物レンズタレット（対物レンズレボルバー）のモーターによる時計回り回転または反時計回り回転である。
【００１６】
トグルモードは、トグルボタンを作動することによって作動される。標準モードは、トグルボタンを再び作動させることによって作動可能であり、トグルモードにプログラムされている対物レンズは保持される。
【００１７】
トグルボタンを押して、保持することにより、プログラミングモードを作動する。トグルボタンが押さえられている間に、対物レンズ倍率ボタンを押すことによって、２つの倍率を選択することができる。プログラミングモードで選択されたボタンは同色で点灯され、トグルボタンが解除されると、トグルモードが作動する。ボタンは、少なくとも１つの発光手段を備える。作動されたボタンは緑色光を発し、作動されていないボタンは黄色光を発する。
【００１８】
本発明のさらに好都合な実施形態は、従属項から推察されうる。
【００１９】
本発明の主題は、図面に概略的に示され、図面を参照して以下に記載される。
【発明を実施するための最良の形態】
【００２０】
図１は、本発明による教示の具体化する実施形態が実現される顕微鏡１０の正面図である。顕微鏡１０は、顕微鏡ステージ２が装着されるスタンド１を備える。集光器３０は、顕微鏡ステージ２の下に設けられる。集光器３０に対向して、タレット１２がスタンド１に装着される。タレット１２は、複数の対物レンズ１１、１４、１６を支持し、ユーザによる始動時に、モーター駆動により動作位置４に導入される。動作位置は、ユーザが顕微鏡ステージ２に位置したサンプル３の顕微鏡検査を行う対物レンズ１１、１４、１６の位置である。図１に示された設定では、対物レンズ１６が動作位置にある。
【００２１】
顕微鏡ステージ２は、Ｘ方向およびＹ方向に顕微鏡ステージ２を移動することができる変位素子９を備える。その目的のために、変位素子９は、Ｘ変位素子９ａおよびＹ変位素子９ｂを有する。顕微鏡１０は同様にＺ方向用の変位デバイス５を備え、該変位デバイス５によって顕微鏡ステージ２がＺ方向に移動される。変位デバイスは、それぞれが微妙な焦点調節および粗い焦点調節を備える少なくとも１つの第１の作動素子５ａおよび少なくとも１つの第２の作動素子５ｂを備える。
【００２２】
集光器３０は、少なくとも１つの変位可能な絞り設定リング２２を備える。集光器３０は同様にモーター駆動するため、集光器３０における絞りの設定は対物レンズの選択された倍率に適合する。顕微鏡１０はさらに、双眼接眼レンズ３５を備える筒３４を支持し、双眼接眼レンズ３５を通してサンプルの像を見ることができる。フロント制御パネル４０は、対物レンズ倍率を選択するための複数のボタン４０（図４参照）を支持し、スタンドに設けられる。
【００２３】
図２は、スタンド１の側面２ａに配置されるさらなるボタン２５および２６を備える顕微鏡１０の側面図である。ボタン２５および２６はまた、スタンド１の両側面に装着することができる。上ボタン２５および下ボタン２６は、駆動素子８の周囲に配置される。モーター駆動集光器３０の場合には、集光器ヘッド３０ａは、１０倍未満の対物レンズ倍率で自動的に旋回し外される。集光器ヘッド３０ａは、１０倍以上の対物レンズ倍率で旋回し組み込まれる。また、スタンド１のさらなる実施例が図２に示されている。この実施形態において、スタンド１は、データケーブル２１を介してＰＣ２３に接続されるＵＳＢインターフェイス２０を備える。このように、顕微鏡機能はすべて、ＰＣ２３によって制御可能である。したがって、スタンドに設けられるボタン２５、２６、４１、４２、４３、４４、４５、４６、４７はまた、ＰＣ２３から所望の態様で割り当てられることができる。ＰＣ２３に接続したディスプレイ２４は、ボタンの割り当てに関する図画による支援を行う。たとえば、スタンド１に設けられたボタンがディスプレイ２４上に示され、ユーザはたとえば入力素子を用いて、割り当てられるボタンを選択しなければならない。
【００２４】
図３は、所定の顕微鏡機能を作動するための複式足踏みスイッチ２９を備えた顕微鏡１０の側面図である。上ボタン２５の機能は複式足踏みスイッチ２９の右足踏みスイッチ２９ａを用いても実現され、下ボタン２６の機能は複式足踏みスイッチ２９の左足踏みスイッチ２９ｂを用いて実現される。複式足踏みスイッチ２９用のコネクタは、スタンド１の背面２ｂに位置していてもよい。
【００２５】
図４は、対物レンズ倍率を選択するための複数のボタン４１、４２、４３、４４、４５、４６、４７を備えたフロント制御パネル４０の詳細図である。ここに示された実施形態において、６つのボタン４１、４２、４３、４４、４５、４６は、対物レンズの直接選択のために設けられる。ユーザは、対応する指示計５１、５２、５３、５４、５５、５６によって、個別のボタン４１、４２、４３、４４、４５、４６の対物レンズへの割り当てに関して知ることができる。指示計５１、５２、５３、５４、５５または５６は、それぞれのボタン４１、４２、４３、４４、４５または４６によって顕微鏡１０の動作位置にモーター駆動で移動する倍率を示す。指示計５１、５２、５３、５４、５５または５６は、たとえば、電子ディスプレイまたは接着プレートとして構成される。個別のボタン４１、４２、４３、４４、４５、４６の割り当ては一般に、第１のボタン４１を用いて最低倍率を有する対物レンズを動作位置に旋回させることができるように選択される。このように、最低倍率用のボタン４１は、フロント制御パネル４０の左端４８に位置決めされる。それぞれの対物レンズに対するボタン４１、４２、４３、４４、４５、４６の割り当ては、工場で行われるか、ユーザによって実行され、顕微鏡の装備とは無関係である。ボタン４７は、トグルボタンとして機能し、フロント制御パネル４０の右端４９に設けられる。トグルボタンは、フロント制御パネル４０のモードを切り替えるために機能する。標準モードでは、スタンド１の右側面または左側面２ａにある２つのボタン２５および２６は、対物レンズの倍率を連続的に移行するために用いられる。上ボタン２５を押すことによって、対物レンズタレット１２のモーター駆動の時計回りの回転を生じる。下ボタン２６を押すことによって、対物レンズタレット１２のモーター駆動の反時計回りの回転を生じる。標準的な構成では、スタンド１の右側面または左側面２ａにおけるボタン２５および２６の割り当ては同一である。トグルモードが選択されると、側面ボタン２５および２６を押すと、２つの既にプログラムされた倍率の間で前後に切り替わる。プログラミングモードでは、工場で予め規定された対物レンズは、ユーザ指定の仕様で容易に変更される。フロント制御パネル４０において、カラーダイオードまたはランプがボタン４１、４２、４３、４４、４５、４６、４７に組み込まれ、動作位置に配置される対物レンズまたは現在のモードを示す。
【００２６】
図５は、標準動作モードにおけるフロント制御パネル４０の詳細図である。ボタン４７（トグルボタン）は、オフである。したがって、トグルボタンが通電されていないか、またはダイオードが点灯していないかのいずれかであることは、ボタン４７が機能していないことを示す。その中に組み込まれているダイオードまたはランプ６０が作動しているため、現在の対物レンズ用のボタン４１が点灯している。スタンド１の側面にあるボタン２５および２６を用いて、対物レンズを動作位置に連続的に旋回させることができる。たとえば、スタンド１の側面にあるボタン２５および２６の１つが二度連続して押される場合には、ある対物レンズは飛ばされ、次の対物レンズが直接、動作位置まで旋回される。続いて、該当する対物レンズに関連するボタンが点灯する。ボタンに設けられたダイオードまたはランプ６０が作動する。好ましい実施形態において、ボタン４１、４２、４３、４４、４５、４６に設けられたダイオードが、緑色光を発する。
【００２７】
図６は、トグルモードにおけるフロント制御パネル４０の詳細図である。標準モード（図５）から始まり、ボタン４７（トグルボタン）を短時間押すことによって、トグルモードに切り替わる。ボタン４７に設けられたダイオードまたはランプ６７が、対応して作動する。このダイオード６７は同様に、緑色光を発することが好ましい。予めプログラムされた倍率の低い方が設定され、関連するボタン４２が点灯する。ダイオードまたはランプ６２は、緑色光を発することが好ましい。第２のプログラムされた対物レンズ用のボタン４４は、ボタン４４とは異なる色で点灯する。ダイオードまたはランプ６４は、黄色光を発することが好ましい。スタンド１の右側面または左側面にある２つのボタン２５および２６を用いて、これらの２つの対物レンズの間で前後に切り替えることが可能である。側面のボタン２５または２６のいずれを押すかは重要ではない。対物レンズが変更されるとき、色指示計もまた変わるため、現在の対物レンズ用のボタンが常に緑色を発し、他の対物レンズ用のボタンは黄色を発する。ボタン４７（トグルボタン）を再び押すことによって、標準モードに切り替わる。ボタン４１、４２、４３、４４、４５、４６の１つを押しても、標準モードへの切り替えが生じる。ユーザによって選択された対物レンズは、動作位置に移動し、トグルモード用にプログラムされた対物レンズが維持される。
【００２８】
図７は、プログラミングモードにおけるフロント制御パネル４０の詳細図である。ユーザがボタン４７（トグルボタン）を押したまま保持すると、既に点灯していたボタンがすべて消える。トグルモードのための所望の対物レンズは、ボタン４７（トグルボタン）が押されている間に押すことによって、選択されなければならない。
【００２９】
図８は、２つの所定の対物レンズ倍率の間で切り替えるためのトグルモードのための、プログラミングモードにおけるフロント制御パネル４０の詳細図である。プログラミングモードで選択されたボタン４１および４３は、ここで同色に点灯する。ボタン４１および４３に設けられたランプ６０および６３が同色の光を発する。好ましい実施形態において、ボタン４１および４３に関連するダイオードまたはランプ６０および６３は黄色光を発する。次にボタン４７（トグルボタン）が解除されると、トグルモードが作動する。
【００３０】
図９は、プログラミングモードが終了したフロント制御パネル４０の詳細図である。ボタン４７（トグルボタン）が解除された後、より低い倍率を有する対物レンズ用のボタン４１が緑色に点灯する。より低い倍率を有する対物レンズはまた移動する。トグルモードで用いられる別の対物レンズ用のボタン４３が、黄色に点灯する。プログラミングモードが再び選択されて作動するまで、これらの設定は保持される。
【００３１】
図３において既に示したように、対物レンズはまた、スタンド１に接続される複式足踏みスイッチを用いて任意に旋回させることができる。複式足踏みスイッチ２９用のコネクタは、スタンド１の背面に位置していてもよい。左足踏みスイッチ２９ａは、スタンド１の下ボタン２６と同一の機能を有する。右足踏みスイッチ２９ｂは、スタンド１の上ボタン２５と同一の機能を有する。
【００３２】
側面のボタン２５および２６に関する特殊な機能もまた可能である。モーター駆動集光器３０の場合には、集光器ヘッド３０ａは、１０倍未満の対物レンズ倍率で自動的に旋回し外される。集光器ヘッド３０ａは、１０倍以上の対物レンズ倍率で旋回し組み込まれる。特殊用途向けに、集光器ヘッドの旋回は、スタンド１の右ボタン２５または左ボタン２６に割り当てることができるため、集光器ヘッドの位置はユーザが調整することができる。ボタンの割り当ての変更は、ライカ（Ｌｅｉｃａ）ＤＭコントロール（ＤＭＣｏｎｔｒｏｌ）ソフトウェアプログラムを用いてのみ可能であり、ＰＣへの接続が必要である。
【図面の簡単な説明】
【００３３】
【図１】顕微鏡機能を作動するためのボタンを備える顕微鏡の正面図である。
【図２】スタンドの側面に配置されるさらなるボタンを備えた顕微鏡の側面図である。
【図３】所定の顕微鏡機能を作動するための足踏みスイッチを備えた顕微鏡の側面図である。
【図４】対物レンズ倍率を選択するための複数のボタンを備えたフロント制御パネルの詳細図である。
【図５】標準動作モードにおけるフロント制御パネルの詳細図である。
【図６】トグルモードにおけるフロント制御パネルの詳細図である。
【図７】プログラミングモードにおけるフロント制御パネルの詳細図である。
【図８】２つの所定の対物レンズ倍率を切り替えるためのトグルモードのための、プログラミングモードにおけるフロント制御パネルの詳細図である。
【図９】プログラミングモードが終了したフロント制御パネルの詳細図である。
【符号の説明】
【００３４】
１  スタンド
２  顕微鏡ステージ
２ａ  スタンドの側面
２ｂ  スタンドの背面
３  サンプル
４  動作位置
５  変位デバイス
５ａ  第１の作動素子
５ｂ  第２の作動素子
８  駆動素子
９  変位素子
９ａ  Ｘ変位素子
９ｂ  Ｙ変位素子
１０  顕微鏡
１１  対物レンズ
１２  タレット
１４  対物レンズ
１６  対物レンズ
２０  ＵＳＢインターフェイス
２１  データケーブル
２２  絞り設定リング
２３  ＰＣ
２４  ディスプレイ
２５  上ボタン
２６  下ボタン
２９  複式足踏みスイッチ
２９ａ  右足踏みスイッチ
２９ｂ  左足踏みスイッチ
３０  集光器
３０ａ  集光器ヘッド
３４  筒
３５  双眼接眼レンズ
４０  フロント制御パネル
４１  ボタン
４２  ボタン
４３  ボタン
４４  ボタン
４５  ボタン
４６  ボタン
４７  ボタン
４８  フロント制御パネルの左端
４９  フロント制御パネルの右端
５１  指示計
５２  指示計
５３  指示計
５４  指示計
５５  指示計
５６  指示計
６０  ランプ
６２  ダイオードまたはランプ
６３  ダイオードまたはランプ
６４  ダイオードまたはランプ
６７  ダイオードまたはランプ
【図１】
2006268041.tif 000003
【図２】
2006268041.tif 000004
【図３】
2006268041.tif 000005
【図４】
2006268041.tif 000006
【図５】
2006268041.tif 000007
【図６】
2006268041.tif 000008
【図７】
2006268041.tif 000009
【図８】
2006268041.tif 000010
【図９】
2006268041.tif 000011